(57)【特許請求の範囲】
【請求項１】
下端を床に固着した左右の側脚を設けるとともに、背凭れフレームの少なくとも前面を伸縮性を有するカバー部材により覆って背凭れを形成し、この背凭れフレームの左右下部から前方に向けて前記カバー部材に覆われていない取付部を延設して、この左右の取付部を、それぞれ前記左右の側脚に止着し、かつこの左右の側脚間に、起立した収納位置とほぼ水平な使用位置との間で回動可能となる座体を取り付けたことを特徴とする劇場椅子。
【請求項２】
カバー部材を、下部に開口を有する袋状とするとともに、このカバー部材により背凭れフレームを覆い、かつ前記開口を閉塞手段により閉塞した請求項１記載の劇場椅子。
【請求項３】
背凭れフレームにおける左右の枠材間であって、袋状のカバー部材の内部に、着座者または後方からの荷重によって弾性変形しうる板材を設け、この板材に、ランバーサポートまたは後方からの衝撃に対する防護板としての機能をもたせた請求項２記載の劇場椅子。
【請求項４】
背凭れフレームの左右下部から前方に向けて延設した取付部間に、枢軸を架設し、この枢軸に座体を回動可能に取り付けた請求項１〜３のいずれかに記載の劇場椅子。
【請求項５】
背凭れフレームの左右下部から前方に向けて延設した左右の取付部に、左右方向の外向きに突出する係止部を設けるとともに、左右の側脚に、左右方向の内向きに突出する被係止部を設け、この被係止部に前記係止部を係止させ、かつ取付部に設けた通孔を介して、ねじをもって取付部を側脚に止着した請求項１〜４のいずれかに記載の劇場椅子。
【請求項６】
３個以上の側脚を、所望間隔をもって左右方向に列状態に配置して床に固着し、隣接する側脚間に、それぞれ背凭れと座体を設けた請求項１〜５のいずれかに記載の劇場椅子。
【発明の詳細な説明】
【技術分野】
【０００１】
本発明は劇場椅子に関し、左右の側脚間に、起立した収納位置とほぼ水平な使用位置との間で回動可能となる座体と、背凭れとを設けた劇場椅子に関する。
【背景技術】
【０００２】
劇場椅子に関しては、たとえば背凭れが板材からなるものや、木質の芯材の表面をクッション材と表皮材により覆ったもの等が公知である（特許文献１、２）。
前者の背凭れが板材からなるものは、前後方向の厚みを小さくすることができるため、劇場椅子の前後方向の配置効率を向上できる反面、背凭れとしてのクッション性がなく、長時間使用する場合は、着座者の疲労の程度が大きくなり、実用上好ましくない。
【０００３】
一方、後者の木質の芯材の表面をクッション材と表皮材により覆ったものは、クッション性を有するため長時間使用しても、着座者の疲労が防止される反面、背凭れの前後方向の厚みが大きくなり、劇場椅子の前後方向の配置効率が悪くなるという問題がある。
【特許文献１】実公昭１４−８１５９号公報
【特許文献２】実公昭５５−２１６３７号公報
【発明の開示】
【発明が解決しようとする課題】
【０００４】
本発明は、前記の現状に鑑み、背凭れとしてのクッション性を有し、長時間使用しても、着座者の疲労が防止され、快適に使用しうるとともに、背凭れの前後方向の厚みを小さくして、椅子の前後方向の配置効率を向上させることができる劇場椅子を提供することを目的とする。
【課題を解決するための手段】
【０００５】
本発明によると、上記課題は、特許請求の範囲における各請求項に示すように、下記の構成を備える発明によって解決される。
（１）下端を床に固着した左右の側脚を設けるとともに、背凭れフレームの少なくとも前面を伸縮性を有するカバー部材により覆って背凭れを形成し、この背凭れフレームの左右下部から前方に向けて前記カバー部材に覆われていない取付部を延設して、この左右の取付部を、それぞれ前記左右の側脚に止着し、かつこの左右の側脚間に、起立した収納位置とほぼ水平な使用位置との間で回動可能となる座体を取り付けたことを特徴とする劇場椅子とする。
【０００６】
（２）上記(１)項において、カバー部材を、下部に開口を有する袋状とするとともに、このカバー部材により背凭れフレームを覆い、かつ前記開口を閉塞手段により閉塞する。
【０００７】
（３）上記 (２)項において、背凭れフレームにおける左右の枠材間であって、袋状のカバー部材の内部に、着座者または後方からの荷重によって弾性変形しうる板材を設け、この板材に、ランバーサポートまたは後方からの衝撃に対する防護板としての機能をもたせる。
【０００８】
（４）上記 (１)項〜(３)項のいずれかにおいて、背凭れフレームの左右下部から前方に向けて延設した取付部間に、枢軸を架設し、この枢軸に座体を回動可能に取り付ける。
【０００９】
（５）上記(１)項〜(４)項のいずれかにおいて、背凭れフレームの左右下部から前方に向けて延設した左右の取付部に、左右方向の外向きに突出する係止部を設けるとともに、左右の側脚に、左右方向の内向きに突出する被係止部を設け、この被係止部に前記係止部を係止させ、かつ取付部に設けた通孔を介して、ねじをもって取付部を側脚に止着する。
【００１０】
（６）上記(１)項〜(５)項のいずれかにおいて、３個以上の側脚を、所望間隔をもって左右方向に列状態に配置して床に固着し、隣接する側脚間に、それぞれ背凭れと座体を設ける。
【発明の効果】
【００１１】
本発明によると、次のような効果が奏せられる。
請求項１記載の発明によれば、背凭れとしてのクッション性を有し、長時間使用しても、着座者の疲労が防止され、快適に使用しうるとともに、背凭れの前後方向の厚みを小さくして、椅子の前後方向の配置効率を向上させることができる劇場椅子が得られる。
【００１２】
請求項２記載の発明によれば、背フレームへのカバー部材の取り付けおよび取り外しを容易に行うことができる。
【００１３】
請求項３記載の発明によれば、ランバーサポートまたは後方からの衝撃に対する防護板としての機能を備えるものを容易に形成できるとともに、袋状のカバー部材が板材の過度の変形を防止し、適度の弾性変形をなすようにし、板材の破損を防止する。
【００１４】
請求項４記載の発明によれば、椅子の組立てを容易に行うことができ、施工時間を短縮することができる。
【００１５】
請求項５記載の発明によれば、係止部を被係止部に係止させることにより、背フレームの左右下部から前方に向けて延設した取付部を、側脚に止着する作業の際における位置決めが容易であるとともに、取付後の位置安定性が良好である。
【００１６】
請求項６記載の発明によれば、隣接する座席において側脚を共有することができ、左右方向に劇場椅子を効率よく配置することができる。
【発明を実施するための最良の形態】
【００１７】
以下、本発明を実施例に基づいて詳細に説明する。
図１は、本発明を実施した劇場椅子の斜視図、図２は、図１に示す椅子の部分分解斜視図、図３は、要部拡大分解斜視図、図４は、座下面カバーを取り外した状態の正面図、図５は、椅子の座体を、起立状態にしたときの中央縦断面図、図６は、椅子の座体を、着座状態にしたときの中央縦断面図、図７は、椅子の座体の中央縦断面図、図８は、カバー部材を、背凭れフレームに被覆する状態を示す要部正面図、図９は、座下面カバーの上方斜視図である。
【００１８】
図１に示すように、本発明の劇場椅子は、多数の側脚１が、所望間隔をもって左右方向に列状態に配置して床に固着され、隣設する側脚１、１間に、それぞれ背凭れ２と座体３とが取り付けられている。
側脚１は、側面視がほぼ逆Ｔ字状をなし、前後方向に延びるベース部１ａの前後端が、ボルト４により床に固着されている。
側脚１の上端は、肘当て５となっている。
【００１９】
背凭れ２は、枠状の背凭れフレーム６を、伸縮性を有するカバー部材７により覆って形成されている（図２参照）。伸縮性を有するカバー部材７として、最も好ましく用いられるものは、下部に開口７ａを有する袋状の網状物である。この網状物は、伸縮性を有する素材を用いて形成する方が好ましいが、網状物よりなるカバー部材７とすることにより、伸縮性を有さない素材を用いる場合にも、容易に伸縮性を有するカバー部材７が得られる。伸縮性を有するカバー部材７を用いることにより、背凭れに着座者によって前方から荷重が負荷された場合に、カバー部材７が伸縮によって弾性変形し、着座者に優れた座り心地を与える。
【００２０】
背凭れ２は、背凭れフレーム６における左右の枠材６ａ、６ａ間であって、袋状のカバー部材７の内部に、着座者または後方からの荷重によって弾性変形しうる板材８を設けて形成し、この板材８に、ランバーサポートまたは後方からの衝撃に対する防護板としての機能をもたせることが好ましい。
【００２１】
板材８は、ポリプロピレン樹脂等により形成されるとともに、着座者の腰部への良好な押圧力を付与するため、側面視において、前向きのくの字形状をなし、かつ左右方向の中央部に対する後向きの負荷に対して、着座者を左右から抱き込むように撓ませるために、平面視において、後向きに突出する緩やかな弧状に形成されている。
【００２２】
図８に示すように、背凭れフレーム６の下部に取付金具９を固着し、この取付金具９において、取付片９ａを左右方向の内方に向けて延設し、この取付片９ａに、方形状の板材８の左右の下隅部が、ねじ１０をもって固着されている。このように板材８の一部、特に下部を背凭れフレーム６に取り付けることにより、板材８は、着座者または後方からの荷重によって容易に弾性変形し、ランバーサポートまたは後方からの衝撃に対する防護板としての機能が付与される。
【００２３】
ランバーサポート機能を充分に発揮させるには、板材８の上下方向の長さは、左右の枠材６ａ、６ａ間の空間における下端部から、少なくとも、腰を支持する枠材６ａの前向き屈曲部に対応する位置まで達する大きさが必要である。この場合、板材８の左右方向の幅は、背凭れフレーム６における左右の枠材６ａ、６ａ間の間隔とほぼ同一であることは必ずしも必要ではなく、多少狭いものであってもよい。
【００２４】
また、後方からの衝撃に対する防護板としての機能を充分に発揮させるには、板材８の左右方向の幅を、背凭れフレーム６における左右の枠材６ａ、６ａ間の間隔とほぼ同一にするとともに、足蹴りなどに対する耐衝撃性を有する素材からなり、かつ衝撃を吸収し、着座者に対する衝撃を可及的に小さくする板材であることが望ましい。
【００２５】
この場合、板材８の上下方向の長さは、左右の枠材６ａ、６ａ間の空間における下端部から、腰を支持する枠材６ａの前向き屈曲部に対応する位置よりも、上方に向けて高さの高い位置に達する大きさであることが望まれる。
【００２６】
耐衝撃性を向上させるとともに、着座者に対する衝撃を可及的に小さくするには、ある程度硬質な弾性体からなる板材を選択するとともに、たとえば板材に補強用のリブを設けたり、板材の背凭れフレームへの固着を、左右それぞれ２箇所とし、上方の固着を弾性を有する固着手段、たとえば弾性を有する帯状片を用いて固着したり、あるいは、袋状の張り材を用いるなどの工夫を施すことが望ましい。
【００２７】
板材８を背凭れフレーム６に取り付けた後に、下部に開口７ａを有する袋状のカバー部材７を、上方から背凭れフレーム６に被覆して、前記開口７ａを紐（図示省略）などの閉塞手段により閉塞し、カバー部材７が上方にずれて背凭れフレーム６から脱落しないようになっている。
【００２８】
袋状のカバー部材７を用いることにより、板材８の過度の変形を防止し、適度の弾性変形をなすようにし、板材８の破損を防止することができる。
【００２９】
なお、図示の実施例では、袋状のカバー部材７を用いたが、場合によっては、背凭れフレーム６の前面のみを伸縮性を有するカバー部材により覆って、その背後に板材８を配設してもよい。
【００３０】
図２に示すように、背凭れフレーム６の左右下部からは、前方に向けて取付部１１が延設されており、この左右の取付部１１、１１を、ねじ１２をもって、それぞれ左右の側脚１、１に止着し、この左右の側脚間に座体３が取り付けられている。
【００３１】
カバー部材７における下部の開口７ａには、その左右に上方に向けて切り欠かれた切欠部７ｂがあり、この切欠部７ｂを介して、背凭れフレーム６を側脚１に取り付けるための前記取付部１１が前方に延びている。
【００３２】
左右の取付部１１、１１には、左右方向の外向きに突出する係止部１３が上下に設けられ、左右の側脚１、１には、左右方向の内向きに突出する被係止部１４が上下に設けられ、この被係止部１４に、前記係止部１３を係止させ、取付部１１に設けた通孔１５を介して、ねじ１２をもって、取付部１１が側脚１に止着されている。
【００３３】
左右の取付部１１、１１間には、枢軸１６が架設され、この枢軸１６に、座体３が、図５に示す起立した収納位置と、図６に示すほぼ水平な使用位置との間で回動可能に取り付けられている。
【００３４】
図２、図３に示すように、座体３は、座本体１７と、この座本体１７の下面に固着され、座本体１７を枢軸１６に枢支するための軸受部材１８と、座本体１７の下面および軸受部材１８を覆う座下面カバー１９とを備えている。
【００３５】
座本体１７は、着座状態における平面視において、ほぼ方形状をなし、後方がやや幅狭となっている。
【００３６】
軸受部材１８は、同じく着座状態における平面視において、後向きのほぼＴ字状をなす上板１８ａと、この上板１８ａの下面における左右方向の中央において、垂設された２枚の平行な前後方向の垂下片１８ｂ、１８ｂと、上板１８ａの後部において、前記垂下片１８ｂ、１８ｂの外側の左右両側に設けられた側面視Ｕ字状の枢軸受部１８ｃ、１８ｃとより形成されている。左右の枢軸受部１８ｃ、１８ｃは、２枚の平行な垂下片１８ｂ、１８ｂとほぼ等しい間隔だけ離間させて形成されている。
【００３７】
垂下片１８ｂは、枢軸受部１８ｃが位置する部分がＵ字状に切欠かれ、左右の枢軸受部１８ｃ、１８ｃと、垂下片１８ｂ、１８ｂの前記切欠部１８ｄとにより、枢軸１６を受けるための左右方向の受け溝が形成されている。
【００３８】
図２、図９に示すように、座下面カバー１９は、着座状態における平面視において、ほぼ方形をなすとともに、底板１９ａは、前方視において下向きに突出する弓状をなし、かつ底板１９ａの後部には、軸受部材１８における枢軸受部１８ｃとの干渉を回避するための側面視Ｕ字状の溝部１９ｂが形成されている。
【００３９】
座体３を枢軸１６に組付けるには、次のようにする。
図３に示すように、軸受２０（図２参照）を枢軸１６に嵌合させるとともに、軸受部材１８の枢軸受部１８ｃを下方から枢軸１６に嵌合させる。この際、予め枢軸１６に溶着されている位置決め部材２１（図２参照）により、軸受部材１８の位置決めを行う。次に、座本体１７を、上方から枢軸１６に当てがい、下方からねじ２２により、軸受部材１８を座本体１７に固定する。
【００４０】
次に、図２〜図４、図７に示すように、２本のワイヤー２３、２３を、軸受部材１８における２枚の垂下片１８ｂ、１８ｂ間において、それぞれ一端２３ａをねじ２４により枢軸１６に固定し、枢軸１６の周方向に沿って配設し、他端２３ｂを前方に位置させる。
【００４１】
次に、左右の垂下片１８ｂ、１８ｂの前部間に係止ピン２５を架設し、この固定部としての係止ピン２５に、２本の巻きばね２６、２６のそれぞれの一端２６ａを固定し、他端２６ｂの遊端を、前記ワイヤー２３の他端２３ｂに連結する。
【００４２】
次に、左右の垂下片１８ｂ、１８ｂの後部間に架設されている架設片１８ｅに、ストッパー受け２７をねじ２８により固定する。このストッパー受け２７は、図６に示す着座状態から、図５に示す起立状態に、座体３を枢軸１６の回りに回動させたときに、枢軸１６に溶接されているストッパー２９に当接し、座体３の回動を規制するものである。
【００４３】
次に、座下面カバー１９を下方からねじ３０をもって、座本体１７に取付けて、座本体１７の下面および軸受部材１８を覆う。
【００４４】
以上のようにして、図７に示すように、付勢手段を、一端２６ａを座体３の下部に固定し、他端２６ｂを遊端とした巻きばね２６をもって形成するとともに、この巻きばね２６を、着座状態において、前後方向の横向きに保持し、かつ前記遊端２６ｂを、座体３が枢支された枢軸１６に一端２３ａを固定して、枢軸１６の周方向に沿って配設したワイヤー２３の他端２３ｂに連結することにより、座体３を起立状態になる方向に常時付勢する椅子が得られる。
【００４５】
このように座体３が起立状態になる方向に常時付勢されているため、不使用時においては、図５に示すような起立状態となっており、使用に際しては、着座者が手を用いて、巻きばね２６の付勢力に対抗して、座体３を枢軸１６の回りに回動させて、図６に示すような着座状態にして後に、着座することとなる。使用後は、着座者が座体３から体を離すと、巻きばね２６の付勢力により、自動的に起立状態に復帰する。
【００４６】
なお、必要に応じて、着座状態を維持するための機構を組み込み、この機構の解除後に、自動的に起立状態に復帰するようにしてもよい。
【００４７】
また、巻きばね２６の付勢力を小さくして、自動的には起立状態に復帰しないが、人が起立状態に復帰させる際に要する力を軽減させるようにしてもよい。
【００４８】
図１、図９に示すように、座下面カバー１９は、下面後部が、後方視において下向きに突出する弓状に形成されるとともに、この下面が弓状に形成された後部に、図５に示す座体３の起立状態において、下方および後方に開口する溝部３１が設けられて、この溝部３１の後端に第１手掛部３２が形成されている。
【００４９】
図１、図７に示すように、座下面カバー１９の下面前部には、下方へ突出する突出部３３が設けられ、下方へ最も突出する部位３３ａから後方に向けて漸次上昇するように形成されている。この漸次上昇する下面には、第２手掛部３４としての凹部が、図５に示す座体３の起立状態において、前下方に開口するように設けられている。
【００５０】
第１手掛部３２は、座体３が起立状態の椅子を持ち運ぶときの手掛部として用いられ、第２手掛部３４は、起立状態にある座体３を、着座状態にするときの手掛部として用いられる。
【００５１】
なお、本実施例においては、座体３を構成する一部材である座下面カバー１９に、第１手掛部３２と第２手掛部３４を設けたが、座下面カバー１９を用いない場合には、たとえば座本体１７に両手掛部を設けてもよい。
【００５２】
一般的には、座体３の後部に、起立状態において、少なくとも下方に開口する第１手掛部を設け、座体３の下面前部を下方へ突出させ、この突出部における下面後部に、座体の起立状態において、前下方に開口する第２手掛部を設ければよい。
【図面の簡単な説明】
【００５３】
【図１】本発明を実施した劇場椅子の斜視図である。
【図２】図１に示す椅子の部分分解斜視図である。
【図３】同じく、要部拡大分解斜視図である。
【図４】同じく、座下面カバーを取り外した状態の正面図である。
【図５】椅子の座体を、起立状態にしたときの中央縦断面図である。
【図６】椅子の座体を、着座状態にしたときの中央縦断面図である。
【図７】椅子の座体の中央縦断面図である。
【図８】カバー部材を、背凭れフレームに被覆する状態を示す要部正面図である。
【図９】座下面カバーの上方斜視図である。
【符号の説明】
【００５４】
１    側脚
２    背凭れ
３    座体
４    ボルト
５    肘当て
６    背凭れフレーム
６ａ  左右の枠材
７    カバー部材
７ａ  開口
７ｂ  切欠部
８    板材
９    取付金具
９ａ  取付片
１０    ねじ
１１    取付部
１２    ねじ
１３    係止部
１４    被係止部
１５    通孔
１６    枢軸
１７    座本体
１８    軸受部材
１８ａ  上板
１８ｂ  垂下片
１８ｃ  枢軸受部
１８ｄ  切欠部
１８ｅ  架設片
１９    座下面カバー
１９ａ  底板
１９ｂ  溝部
２０    軸受
２１    位置決め部材
２２    ねじ
２３    ワイヤー
２３ａ  一端
２３ｂ  他端
２４    ねじ
２５    係止ピン
２６    巻きばね
２６ａ  一端
２６ｂ  他端
２７    ストッパー受け
２８    ねじ
２９    ストッパー
３０    ねじ
３１    溝部
３２    第１手掛部
３３    突出部
３３ａ  下方へ最も突出する部位
３４    第２手掛部
【図１】
0005399643.tif 000002
【図２】
0005399643.tif 000003
【図３】
0005399643.tif 000004
【図４】
0005399643.tif 000005
【図５】
0005399643.tif 000006
【図６】
0005399643.tif 000007
【図７】
0005399643.tif 000008
【図８】
0005399643.tif 000009
【図９】
0005399643.tif 000010